(57)【要約】【課題】浄水システムの処理水量が変動した際に、迅速且つ安定的に所望水量を供給することができる浄水システムの制御方法を提供する。【解決手段】膜ろ過動作を行う運転状態では、所定の処理水量範囲で運転するように設定された膜ろ過装置を備える浄水システムの制御方法であり、浄水システムに要求される総浄水量及び膜ろ過装置の処理水量範囲に基づいて膜ろ過装置の必要台数を決定するステップと、複数の膜ろ過装置の中で運転可能な膜ろ過装置の台数を把握し、必要台数と、運転可能な膜ろ過装置の台数とを比較するステップと、比較の結果に基づき、運転可能な膜ろ過装置の台数が必要台数以上である場合には、必要台数の膜ろ過装置を運転状態とし、運転可能台数が必要台数未満である場合には、運転可能台数の膜ろ過装置を運転状態として、最大処理水量の設定値で運転させる、ステップと、を含む方法である。【選択図】図２
2019202317.tif 000002
【特許請求の範囲】
【請求項１】
互いに並列接続された複数の膜ろ過装置により、前記膜ろ過装置の前段側から供給された被処理水をろ過して前記膜ろ過装置の後段側から浄水を流出させる浄水システムの制御方法であって、
前記複数の膜ろ過装置は、膜ろ過動作を行う運転状態では、最小処理水量及び最大処理水量の各設定値により定められる処理水量範囲で運転するように設定されており、
前記浄水システムに要求される総浄水量及び前記膜ろ過装置の処理水量範囲に基づいて前記総浄水量を得るのに必要な前記膜ろ過装置の必要台数を決定する必要台数決定ステップと、
前記複数の膜ろ過装置の中で運転可能な膜ろ過装置の台数を把握し、前記必要台数と、運転可能な膜ろ過装置の台数とを比較する比較ステップと、
前記比較の結果に基づき、前記運転可能な膜ろ過装置の台数が前記必要台数以上である場合には、前記必要台数の前記膜ろ過装置を前記運転状態とし、前記運転可能台数が前記必要台数未満である場合には、前記運転可能台数の前記膜ろ過装置を前記運転状態として、前記最大処理水量の設定値で運転させる、運転ステップと、
を含み、さらに、前記必要台数決定ステップにおいて、
運転状態の膜ろ過装置の台数を把握し、前記処理水量範囲内で前記総浄水量が得られる運転台数の範囲内から、把握した運転状態の膜ろ過装置の台数に最も近い台数を必要台数として決定すること（第１の必要台数決定方法）、および、
前記総浄水量を前記処理水量範囲内の所定の設定値で除し、得られた値の整数部分を前記必要台数として決定すること（第２の必要台数決定方法）
のいずれかを実施することを含み、
前記処理水量範囲内の所定の設定値が、前記最小処理水量の設定値、現状運転している膜ろ過装置の処理水量、および、前記処理水量範囲の中間値のうちのいずれかである、
ことを特徴とする、浄水システムの制御方法。
【請求項２】
前記必要台数決定ステップを繰り返し実施するに際し、ｎ回目の必要台数決定ステップにて用いた総浄水量（ｎ）からの、ｎ＋１回目の必要台数決定ステップにて用いる総浄水量（ｎ＋１）の増減を判定するステップをさらに含み、
前記総浄水量（ｎ＋１）が前記総浄水量（ｎ）よりも少ない場合には、前記第２の必要台数決定方法を実施することとし、その他の場合には、前記第１の必要台数決定方法を実施する、請求項１に記載の浄水システムの制御方法。
【請求項３】
前記運転可能台数が前記必要台数未満である場合に、前記運転可能台数の前記膜ろ過装置を前記運転状態として、前記最大処理水量の設定値で動作するように前記膜ろ過装置の運転を制御した場合に、前記運転可能台数が変化したことを検知して、前記比較ステップ及び前記運転ステップを再度実施する、請求項１又は２に記載の浄水システムの制御方法。
【請求項４】
互いに並列接続された複数の膜ろ過装置により、前記膜ろ過装置の前段側から供給された被処理水をろ過して前記膜ろ過装置の後段側から浄水を放出する浄水システムであって、
前記複数の膜ろ過装置は、膜ろ過動作を行う運転状態では、最小処理水量及び最大処理水量の各設定値により定められる処理水量範囲で運転するように設定されており、
前記浄水システムは、
前記複数の膜ろ過装置の運転を制御する制御部を備え、該制御部は、
前記浄水システムに要求される総浄水量及び前記膜ろ過装置の処理水量範囲に基づいて
前記総浄水量を得るのに必要な前記膜ろ過装置の必要台数を決定し、
前記複数の膜ろ過装置の中で運転可能な膜ろ過装置の台数を把握し、
前記必要台数と、運転可能な膜ろ過装置の台数とを比較し、
前記比較の結果に基づき、前記運転可能な膜ろ過装置の台数が前記必要台数以上である場合には、前記必要台数の前記膜ろ過装置を前記運転状態とし、前記運転可能台数が前記必要台数未満である場合には、前記運転可能台数の前記膜ろ過装置を前記運転状態として、前記最大処理水量の設定値で運転させ、さらに、
前記必要台数を決定するに際して、
運転状態の膜ろ過装置の台数を把握し、前記処理水量範囲内で前記総浄水量が得られる運転台数の範囲内から、把握した運転状態の膜ろ過装置の台数に最も近い台数を必要台数として決定すること、および、
前記総浄水量を前記処理水量範囲内の所定の設定値で除し、得られた値の整数部分を前記必要台数として決定すること
のいずれかを実施することを含み、ここで、
前記処理水量範囲内の所定の設定値が、前記最小処理水量の設定値、現状運転している膜ろ過装置の処理水量、および、前記処理水量範囲の中間値のうちのいずれかである、
ことを特徴とする、
浄水システム。
【発明の詳細な説明】
【技術分野】
【０００１】
本発明は、浄水システムの制御方法及び浄水システムに関するものである。
【背景技術】
【０００２】
従来、種々の浄水システムにおいて、被処理水を膜ろ過して処理水とする膜ろ過装置が採用されてきた。そして、浄水システムは、膜ろ過装置から得られた処理水について、必要な場合には各種処理を施して、浄水を供給する。
膜ろ過装置は、使用に伴いろ過対象の不純物等によりろ過膜が目詰まりするため、この目詰まりを解消してろ過膜のろ過機能を再生させるために、物理洗浄を定期的に実施することが必要である。ここで、膜ろ過装置は、物理洗浄中にはろ過を行うことができない。このため、膜ろ過装置の物理洗浄時には、浄水システムを停止するか、或いは、浄水システムにおいて複数の膜ろ過装置を採用して、タイミングをずらして物理洗浄を行うようにして、一の膜ろ過装置を物理洗浄している最中であっても浄水システムとしては運転を継続できるようにする構成が採用されてきた。
【０００３】
このように、複数の膜ろ過装置を備える浄水システムの運転中に、膜ろ過装置において物理洗浄の必要が生じるという変化に対応するための技術が提案されてきた。ここで、浄水システムが晒されうる変化は膜ろ過装置の物理洗浄だけではない。例えば、膜ろ過装置の故障や定期点検、更には、被処理水の水質や要求される浄水量の変動等にも、浄水システムは対応する必要があった。
【０００４】
そこで、従来、浄水システムとして、複数の膜ろ過装置を並列に配置したろ過装置において、被処理水の温度や水質、更には処理水の水質に応じて、膜ろ過装置の運転本数を制御する方法が提案されてきた（例えば、特許文献１参照）。特許文献１に記載の方法によれば、処理水の温度変化や膜ろ過装置の膜性能の変化に拘わらず、その処理水の水質を高品質に維持し、その処理水量の変動を抑えることができる。
【０００５】
また、使用中の膜ろ過装置の故障に対処するための浄水方法も提案されてきた（例えば、特許文献２参照）。特許文献２に記載の浄水方法は、予備分を含めた複数台の膜ろ過装置を並列に接続した浄水システムにて実施される。具体的な運転方法は、正常時は予備分を除いた膜ろ過装置を運転し、何れかの膜ろ過装置に膜破損が生じたときには、当該膜ろ過装置の運転を停止し、予備の膜ろ過装置を運転して処理水量を確保するというものであった。かかる運転方法によれば、膜ろ過装置に膜破損が生じても、処理水の水質を維持すると共に、処理水量の低下を抑制することができる。
【先行技術文献】
【特許文献】
【０００６】
【特許文献１】特開２００１−２３９１３４号公報
【特許文献２】特開平６−１７０３６５号公報
【発明の概要】
【発明が解決しようとする課題】
【０００７】
ここで、浄水場などでは、システム全体として安定的に所定の処理水量を得ることが重要である。
【０００８】
しかし、運転台数を変更するだけの従来のシステムでは、故障時やシステム全体に求められている処理水量が変動した際に、所望水量の安定的な供給が迅速にできなかった。具体的には、従来のシステムでは各膜ろ過装置の処理水量を制御していなかったので、故障時や要求処理水量が変動した際に運転台数と同時に運転中の各膜ろ過装置の処理水量も変動させており、処理水量が安定するのに時間がかかった。特に並列接続された膜ろ過装置を採用した浄水システムでは、一のろ過装置の処理水量の変動が他のろ過装置に影響を与え易いため、処理水量が安定するのに長時間を要していた。
【０００９】
そこで、かかる事情に鑑みてなされた本発明の目的は、浄水システムの運転条件が変動した際に、迅速且つ安定的に所望水量を供給することができる、浄水システム及び浄水システムの制御方法を提供することにある。
【課題を解決するための手段】
【００１０】
上記目的を達成する本発明に係る浄水システムの制御方法は、互いに並列接続された複数の膜ろ過装置により、前記膜ろ過装置の前段側から供給された被処理水をろ過して前記膜ろ過装置の後段側から浄水を流出させる浄水システムの制御方法であって、前記複数の膜ろ過装置は、膜ろ過動作を行う運転状態では、最小処理水量及び最大処理水量の各設定値により定められる処理水量範囲で運転するように設定されており、前記浄水システムに要求される総浄水量及び前記膜ろ過装置の処理水量範囲に基づいて前記総浄水量を得るのに必要な前記膜ろ過装置の必要台数を決定する必要台数決定ステップと、前記複数の膜ろ過装置の中で運転可能な膜ろ過装置の台数を把握し、前記必要台数と、運転可能な膜ろ過装置の台数とを比較する比較ステップと、前記比較の結果に基づき、前記運転可能な膜ろ過装置の台数が前記必要台数以上である場合には、前記必要台数の前記膜ろ過装置を前記運転状態とし、前記運転可能台数が前記必要台数未満である場合には、前記運転可能台数の前記膜ろ過装置を前記運転状態として、前記最大処理水量の設定値で運転させる、運転ステップと、を含むことを特徴とする。
このような浄水システムの制御方法によれば、浄水システムの運転条件が変動した際に、迅速且つ安定的に所望水量を供給することができる。
【００１１】
また、本発明に係る浄水システムの制御方法において、前記必要台数決定ステップにおいて、運転状態の膜ろ過装置の台数を把握し、前記処理水量範囲内で前記総浄水量が得られる運転台数の範囲内から、把握した運転状態の膜ろ過装置の台数に最も近い台数を必要台数として決定することが好ましい。
このような浄水システムの制御方法によれば、膜ろ過装置の処理水量範囲内である限りにおいて、膜ろ過装置を運転状態から他の状態へと変更せずに浄水システムの運転を継続するため、浄水システムの応答性を一層向上させることができる。
【００１２】
さらに、本発明に係る浄水システムの制御方法において、前記必要台数決定ステップにて、前記総浄水量を前記処理水量範囲内の所定の設定値で除し、得られた値の整数部分を前記必要台数として決定することが好ましい。
このような浄水システムの制御方法によれば、膜ろ過装置を所定の処理水量に近い処理水量で運転させることができるので、浄水システムの応答性を一層向上させることができる。
【００１３】
さらに、本発明に係る浄水システムの制御方法において、前記膜ろ過装置の運転を停止する際に当該膜ろ過装置への通水量を記憶する工程と、運転を停止した前記膜ろ過装置の運転を再開する際に通水量を前記記憶した通水量まで一段階で増加させる工程と、を含む、ことが好ましい。
このような浄水システムの制御方法によれば、目的とする処理水量を安定的に得られるようになるまでの時間を短縮することができ、浄水システムの制御の安定性を一層向上させることができる。
【００１４】
さらに、本発明に係る浄水システムの制御方法において、前記運転可能台数が前記必要台数以上である場合に、待機状態にあった膜ろ過装置を運転状態とするにあたり、前記総浄水量及び前記必要台数に基づいて算出した前記膜ろ過装置一台あたりの処理水量を達成するために必要な通水量を予測し、前記待機状態にあった膜ろ過装置への通水量を、予測した前記通水量まで一段階で増加させることが好ましい。
このような浄水システムの制御方法によれば、所望の処理水量を安定的に得られるようになるまでの時間を一層短縮することができ、浄水システムの制御の安定性をより一層向上させることができる。
【００１５】
さらに、本発明に係る浄水システムの制御方法において、前記運転可能台数が前記必要台数未満である場合に、前記運転可能台数の前記膜ろ過装置を前記運転状態として、前記最大処理水量の設定値で動作するように前記膜ろ過装置の運転を制御した場合に、前記運転可能台数が変化したことを検知して、前記比較ステップ及び前記運転ステップを再度実施することが好ましい。
このような浄水システムの制御方法によれば、急激に総浄水量が増加した場合であっても、迅速に所望の総浄水量を達成することができる。
【００１６】
また、上記目的を達成する本発明に係る浄水システムは、互いに並列接続された複数の膜ろ過装置により、前記膜ろ過装置の前段側から供給された被処理水をろ過して前記膜ろ過装置の後段側から浄水を放出する浄水システムであって、前記複数の膜ろ過装置は、膜ろ過動作を行う運転状態では、最小処理水量及び最大処理水量の各設定値により定められる処理水量範囲で運転するように設定されており、前記浄水システムは、前記複数の膜ろ過装置の運転を制御する制御部を備え、該制御部は、前記浄水システムに要求される総浄水量及び前記膜ろ過装置の処理水量範囲に基づいて前記総浄水量を得るのに必要な前記膜ろ過装置の必要台数を決定し、前記複数の膜ろ過装置の中で運転可能な膜ろ過装置の台数を把握し、前記必要台数と、運転可能な膜ろ過装置の台数とを比較し、前記比較の結果に基づき、前記運転可能な膜ろ過装置の台数が前記必要台数以上である場合には、前記必要台数の前記膜ろ過装置を前記運転状態とし、前記運転可能台数が前記必要台数未満である場合には、前記運転可能台数の前記膜ろ過装置を前記運転状態として、前記最大処理水量の設定値で運転させる、ことを特徴とする。
このような浄水システムの制御方法によれば、浄水システムの処理水量が変動した際に、迅速且つ安定的に所望水量を供給することができる。
【発明の効果】
【００１７】
本発明によれば、浄水システムの処理水量が変動した際に、迅速且つ安定的に所望水量を供給することができる、浄水システム及びそのような浄水システムの制御方法を提供することができる。
【図面の簡単な説明】
【００１８】
【図１】本発明の一実施形態による浄水システムの概略構成を示す図である。
【図２】本発明の一実施形態による浄水システムの制御方法を説明するフローチャートである。
【図３】図２に示すフローチャートをより詳細に説明するためのフローチャートである。
【発明を実施するための形態】
【００１９】
以下、本発明の実施の形態を、図面に基づき詳細に説明する。本発明による浄水システムの制御方法は、本発明による浄水システムにおいて実施されうる。本発明による浄水システムは、互いに並列接続された複数の膜ろ過装置により、かかる膜ろ過装置の前段側から供給された被処理水をろ過して膜ろ過装置の後段側から処理水を放出する浄水システムである。そして、本発明による浄水システム及び浄水システムの制御方法は、特に限定されることなく、上水処理、下水処理、工業用水処理、排水処理、海水淡水化などの各種水処理において被処理水中の汚濁物質などを分離除去する際に用いることができる。特に、本発明による浄水システム及び浄水システムの制御方法は、安定的な処理水量が求められる上水処理に好適である。
さらに、本発明による浄水システム及び浄水システムの制御方法は、特に限定されることなく、ポンプ送水あるいは自然流下により送水された被処理水をろ過するために用いることができる。特に、本発明による浄水システム及び浄水システムの制御方法は、並列に接続された膜ろ過装置間の干渉が大きく、膜ろ過装置の処理水量を変動させた際の影響が大きい、自然流下により送水された被処理水をろ過する浄水システムに好適である。
また、膜ろ過装置を備える浄水システムでは、膜ろ過装置の前段側あるいは後段側に薬品注入設備等が設けられ、かかる薬品注入設備等を用いて、被処理水を前処理し、及び／又は処理水を後処理することが多いが、安定的な処理水量を達成可能な本発明による浄水システム及び浄水システムの制御方法によれば、薬品注入設備等を用いたこれらの処理も安定化させることができる。
【００２０】
（浄水システム）
図１は、本発明の一実施形態による浄水システムの概略構成を示す図である。浄水システム１０は、原水槽１１、互いに並列接続された膜ろ過装置１２ａ〜１２ｃ、浄水槽１３、及び制御部１４を備える。更に、膜ろ過装置１２ａは、浄水システムの被処理水である原水が膜ろ過装置１２ａに入水する側である前段側に通水制御手段１２１ａを備える。膜ろ過装置１２ｂ及び１２ｃも同様に前段側にそれぞれ通水制御手段１２１ｂ及び１２１ｃを備える。浄水システム１０では、原水槽１１から原水配管１５を経て膜ろ過装置１２ａ〜１２ｃに供給された被処理水をろ過して、得られた処理水は処理水配管１６を経て浄水槽１３に供給される。
なお、図１では、送水圧力は、原水槽１１における原水水頭と浄水槽１３における浄水水頭との水頭差によって付与される。すなわち、図１では、浄水システム１０は、自然流下による浄水システムであるものとして図示する。
【００２１】
＜膜ろ過装置＞
膜ろ過装置１２ａ〜１２ｃは、浄水システム１０の運転時において、膜ろ過動作を行う運転状態と、膜ろ過動作の実施は可能であるが意図的に膜ろ過動作を行わない待機状態と、膜ろ過性能を再生するための物理洗浄を行う再生状態と、例えば故障などにより膜ろ過動作を行うことができない運転不能状態との何れかとなるように構成されている。なお、運転状態および待機状態にある膜ろ過装置は、運転可能な膜ろ過装置であり、再生状態および運転不能状態にある膜ろ過装置は、運転不可能な膜ろ過装置である。そして、膜ろ過装置のろ過膜としては、例えばセラミックろ過膜を用いることができる。なお、明瞭のために、図１では３台の膜ろ過装置１２ａ〜１２ｃのみを図示するが、浄水システム１０は３台以上、或いは２台以下の膜ろ過装置を備えることができる。膜ろ過装置１２ａ〜１２ｃは、ろ過性能を保つために、運転状態となった時点から一定時間後、或いは、膜差圧が所定値に達した後に物理洗浄を実施して膜ろ過性能を再生する再生状態となる。ここで、浄水システム１０では、同時期に再生状態に入ることができる膜ろ過装置の台数に上限を設け、当該上限値の台数の膜ろ過装置が再生状態に入っている場合には、何れかの膜ろ過装置の再生が終了するまで他の膜ろ過装置は新たに再生状態に入らないようにしてもよい。
【００２２】
膜ろ過装置１２ａ〜１２ｃは、それらの最小処理水量の設定値以上最大処理水量の設定値以下の処理水量範囲で運転するように通水量が設定されている。ここで、膜ろ過装置１２ａ〜１２ｃの「最大処理水量の設定値」は、膜ろ過装置の仕様にて定められた時間当たりの流量（ｍ３／ｈ）の最大値を上限として、任意に定めることができる値である。原則的に、複数の膜ろ過装置１２ａ〜１２ｃについて、各設定値は共通の値とする。かかる設定値は、浄水システム１０に求められる制御の応答性や特性、さらには浄水システム１０の設置状況や設置目的などを勘案した処理水量範囲を規定するように定めることができる。
例えば、「最大処理水量の設定値」は、膜ろ過装置１２ａ〜１２ｃの仕様にて定められた時間当たりの流量（ｍ３／ｈ）の上限値以下の値であって、浄水システム１０全体としての所望の総処理水量を、通常「運転状態」とすることが想定される台数にて除して得られた値とすることができる。他方、「最小処理水量の設定値」は、例えば、上記所望の総処理水量を、浄水システム１０が備える膜ろ過装置１２ａ〜１２ｃの全台数にて除して得られた値とすることができる。
なお、最小処理水量と最大処理水量の各設定値が近い値であるほど、膜ろ過装置１２ａ〜１２ｃが処理する水量の変動が少なく、制御により処理水量を変更した場合であっても、迅速に制御を安定化させることができるが、当然、各設定値が近いほど、浄水システムとしての柔軟性は低くなるため、これらのバランスを考慮して各設定値を定めることが好ましい。特に、最小処理水量は、浄水システム１０が自然流下による送水方式を採用しており、通水制御手段１２１ａ〜１２１ｃがバルブとして実装される場合には、少なくともキャビテーションが生じないような設定値とすることが好ましい。
【００２３】
＜通水制御手段＞
膜ろ過装置１２ａ〜１２ｃに備えられた通水制御手段１２１ａ〜１２１ｃは、例えば、バルブやポンプであり得る。図１においては、一例として、通水制御手段１２１ａ〜１２１ｃは開度調整可能なバルブとして図示する。通水制御手段１２１ａ〜１２１ｃは、それぞれ、膜ろ過装置１２ａ〜１２ｃの前段側に配置され、膜ろ過装置１２ａ〜１２ｃの通水量を制御する。通水制御手段１２１ａ〜１２１ｃがバルブである場合には、それらのバルブ開度を種々設定し、或いはそれらを開閉することにより、膜ろ過装置１２ａ〜１２ｃにより得られる処理水量を調節し、或いは膜ろ過装置１２ａ〜１２ｃの運転状態を切り替えることができる。また、通水制御手段１２１ａ〜１２１ｃがインバーター駆動によるポンプである場合には、ポンプの回転数を適宜制御し、或いはポンプを駆動／停止することにより、膜ろ過装置１２ａ〜１２ｃにより得られる処理水量を調節し、或いは膜ろ過装置１２ａ〜１２ｃの運転状態を切り替えることができる。
【００２４】
＜制御部＞
さらに、浄水システム１０の制御部１４は、膜ろ過装置１２ａ〜１２ｃの運転状態を把握及び制御すると共に、通水制御手段１２１ａ〜１２１ｃをモニタリング及び制御するように構成されている。具体的には、制御部１４は、膜ろ過装置１２ａ〜１２ｃの運転状態が運転状態、待機状態、運転不能状態、及び再生状態のいずれであるかを把握している。更に、制御部１４は、バルブとして構成される通水制御手段１２１ａ〜１２１ｃのバルブ開度及び処理水量をモニタリングし、図示しない記憶部に記憶することが好ましい。バルブ開度は、膜ろ過装置１２ａ〜１２ｃの通水量に対応する。制御部１４によるモニタリングは、バルブとして構成される通水制御手段１２１ａ〜１２１ｃのバルブ開度が変更される度に行われても良いし、浄水システム１０の運転中に定期的に行われても良い。さらには、制御部１４は、ある膜ろ過装置を運転状態から他の状態に切り替えた際に、切替後所定時間経過し膜ろ過装置が安定的に運転している時点におけるバルブ開度及び処理水量を記憶することが好ましく、運転状態から待機状態、運転不能状態、又は再生状態に移行する直前のバルブ開度及び処理水量を記憶することが更に好ましい。このように、待機状態、運転不能状態、又は再生状態にある膜ろ過装置について、直近の運転状態におけるバルブ開度及び処理水量を記憶しておくことで、後述するように、浄水システム１０の制御の安定性を向上させるための制御を実施することができる。なお、制御部１４は、例えば、演算機能を有するコンピュータにより実装され、図示しない記憶部は、例えば、メモリにより実装される。
以下、制御部１４による浄水システム１０の制御方法について更に詳細に説明する。
【００２５】
＜浄水システム制御方法＞
図２は、本発明の一実施形態による浄水システムの制御方法を説明するフローチャートである。まず、制御部は、複数の膜ろ過装置の運転を制御するにあたり、浄水システムが供給するべき浄水量である総浄水量（ｍ３／日）を設定する総浄水量設定ステップ（ステップＳ０１）を実施する。ステップＳ０１では、例えば、浄水システムが、上水処理用の浄水システムである場合には、制御部は、要求水量を総浄水量として設定することができる。
【００２６】
次に、制御部は、ステップＳ０１で設定した総浄水量、及び膜ろ過装置の処理水量範囲に基づいて膜ろ過装置の必要台数を決定する必要台数決定ステップ（ステップＳ０２）を実施する。ここで、浄水システムにおける必要台数は、総浄水量を最大処理水量の設定値で除して得られる値と、総浄水量を最小処理水量の設定値で除して得られる値との間の整数値となれば任意の台数に決定することができるが、以下の２通りの決定方法を採用することが好ましい。
【００２７】
まず、第一の必要台数決定方法としては、運転状態の膜ろ過装置の台数を把握し、処理水量範囲内で総浄水量が得られる運転台数の範囲内から、把握した運転状態の膜ろ過装置の台数に最も近い台数を必要台数として決定する方法が挙げられる。膜ろ過装置を新たに運転または停止した場合には急激な流れの変化に起因して並列に接続された膜ろ過装置間で干渉（例えば、各膜ろ過装置への送水圧力の変動など）が生じ得るところ、このように、現状運転している膜ろ過装置の台数に最も近い台数を必要台数とし、運転台数の変更を可能な限り少なくすれば、膜ろ過装置の運転または停止によって並列に接続された膜ろ過装置間で干渉が生じて運転状態が変動するのを抑制し、浄水システムを安定的に運転することができる。
【００２８】
この方法の一例としては、図３に示す方法が挙げられる。具体的には、既に浄水システム１０を運転している状態においてステップＳ０２を実施するに当たり、ステップＳ０２において、現状運転している膜ろ過装置の台数（以下、「現状運転台数」ともいう）を取得し、ステップＳ０１で設定した総浄水量を、取得した現状運転台数で除算し、設定した総浄水量を得るために現状運転している膜ろ過装置一台あたりが供給すべき処理水量を算出する（ステップＳ０２−１Ａ）。そして、制御部は、かかる処理水量が膜ろ過装置の処理水量範囲内であるかを判定する（Ｓ０２−２Ａ）。そして、ステップＳ０２−２Ａにおける判定結果が「はい」であれば、制御部は、現状運転台数を必要台数として決定する（ステップＳ０２−６Ａ）。一方、ステップＳ０２−２Ａにおける判定結果が「いいえ」である場合には、制御部は処理水量が膜ろ過装置の最大処理水量の設定値よりも大きいか否かを判定する（ステップＳ２−３Ａ）。ステップＳ２−３Ａにおける判定結果が「いいえ」であれば、制御部は総浄水量を（現状運転台数−ｎ）台で除し（ステップＳ０２−４Ａ）、再度ステップＳ０２−２Ａにて判定を行う。一方、ステップＳ２−３Ａにおける判定結果が「はい」であれば、制御部は総浄水量を（現状運転台数＋ｎ）台で除し（ステップＳ０２−５Ａ）、再度ステップＳ０２−２Ａにて判定を行う。そして、制御部は、ステップＳ０２−４ＡまたはステップＳ０２−５Ａにおけるｎの数を１ずつ増やしつつ、ステップＳ０２−２Ａにおける判定結果が「はい」になるまでこれを繰り返す。
【００２９】
また、この方法の他の例では、現状運転台数を把握して、さらに、総浄水量を最大処理水量の設定値で除して得られる値と、総浄水量を最小処理水量の設定値で除して得られる値との間の整数値（即ち、処理水量範囲内で総浄水量を供給可能な台数範囲）を取得するステップ（ステップＳ０２−１Ｂ、図示しない）を行い、かかる整数値の中から現状運転台数に最も近い台数を必要台数として決定する（ステップＳ０２−６Ａ）ことができる。
【００３０】
第２の必要台数の決定方法としては、総浄水量を処理水量範囲内の所定の設定値で除し、得られた値の整数部分又は、かかる値に最も近い整数を必要台数として決定する方法（ステップＳ０２−１Ｃ、図示しない）が挙げられる。例えば、「処理水量範囲内の所定の設定値」は、被処理水の水質や浄水システムの設置状況などを考慮して定めることができる、膜ろ過装置への負荷が少ない処理水量であり得る。例えば、「処理水量範囲内の所定の設定値」を「最小処理水量の設定値」と一致させても良い。この場合、膜ろ過装置をなるべく少ない処理水量で運転させることができるので、膜ろ過装置への負荷が低く、膜ろ過装置の長寿命化に寄与することができる。かかる方法により決定された必要台数は、後述するステップＳ０３における判定へと送られる。或いは、「処理水量範囲内の所定の設定値」は、「現状運転している膜ろ過装置の処理水量」と一致させても良い。この場合、現状運転している各膜ろ過装置について運転状態の変動を最小化して、浄水システムを安定的に運転することができる。さらには、「処理水量範囲内の所定の設定値」を「処理水量範囲の中間値」と一致させることもできる。
【００３１】
このような、第１及び第２の必要台数の決定方法は、組み合わせて用いることももちろん可能である。例えば、ステップＳ０１の直後に、ステップＳ０１の開始前の総浄水量（前回の設定値）からの総浄水量の増減を判定するステップをさらに設けて、総浄水量が減少する場合には、ステップＳ０２−１Ｃに進むこととし、その他の場合にはステップＳ０２−１Ａ又はステップＳ０２−１Ｂに進むこととしても良い。
【００３２】
そして、制御部は、運転可能な膜ろ過装置の台数を把握し、運転可能台数がステップＳ０２にて決定した必要台数以上であるかを判定する（ステップＳ０３）。ここで、制御部は、運転可能な膜ろ過装置の台数として、その時点において運転状態及び待機状態にある膜ろ過装置や、運転不能状態から復帰して運転可能となった膜ろ過装置の合計台数である運転可能台数を把握する。ステップ０３において「はい」と判定された場合、すなわち、運転可能台数が必要台数以上である場合には、制御部は、必要台数の膜ろ過装置を運転する（ステップＳ０４）。このとき、制御部は、ステップＳ０１にて把握した総浄水量を必要台数で按分した水量が膜ろ過装置一台あたりの処理水量となるように、各通水制御手段による通水量を調節する。また、制御部は、浄水システムの安定的な運転を維持する観点から、通常は、可能な限り現状運転している膜ろ過装置が運転を継続するように（即ち、新たに運転／停止させる膜ろ過装置の数が少なくなるように）、運転させる膜ろ過装置を選択する。
【００３３】
ここで、膜ろ過装置の「通水量」及び「処理水量」とは以下のような関係にある。膜ろ過装置は所定の通水量で通水された被処理水をろ過膜によりろ過して処理水を得る装置であるが、このろ過膜は、使用により被処理水中の不純物等によって目詰まりを生じる。従って、上述したように膜ろ過装置には物理洗浄が必須となっている。さらに、不純物等による目詰まりにより、膜ろ過装置のろ過膜のろ過性能は、膜ろ過装置の運転中に低下していくため一定ではない。このため通水量と処理水量との関係は、膜ろ過装置の運転期間の長さや、膜ろ過装置自体の経年劣化の度合いによって異なる。従って、膜ろ過装置の運転期間中において、所望の浄水量が一定の場合であっても、かかる所望の浄水量を得るためには、定期的に通水量と処理水量の関係をモニタリングして、その時々のろ過性能に応じた通水量とする必要がある。また、複数の膜ろ過装置を備える浄水システムにあっては、往々にして、膜ろ過装置毎にろ過性能が異なる。このため、各膜ろ過装置の後段側において流量計等の処理水量を測定するための測定装置を配置して処理水量を測定し、制御部により、通水制御手段による通水量と、測定装置により測定した処理水量とを対応付けることが好ましい。そして、制御部は、各膜ろ過装置について得られた通水量と処理水量との関係に基づいて、通水制御手段による通水量を調節することが好ましい。
このように、膜ろ過装置の「通水量」と「処理水量」との関係は膜ろ過装置の運転期間中において経時的に変化し、また、膜ろ過装置毎に異なるものである。
【００３４】
さらに、ステップＳ０４にて、待機状態にあった膜ろ過装置の運転を開始する場合には以下の２通りの制御方法を採用しうる。第１の方法としては、図示しない記憶部にて膜ろ過装置の前回運転時点における通水量が記憶されている場合に、かかる通水量まで、通水量を一段階で増加させる方法が挙げられる。ここで、従来の膜ろ過装置の通水量制御においては、運転を開始するにあたり、所定の時間をかけて通水量を緩やかに増加させて、目標とする通水量とすることが一般的であった。一方、本実施形態にかかる浄水システムの制御方法において、通水量を「一段階で」増加させるとは、従来のように緩やかに通水量を増加させるのでなく、一回の制御動作で一気に目標とする通水量まで上げることを意味する。具体的には、例えば、バルブとして構成される通水制御手段にあっては、前回運転時のバルブ開度まで一回の制御で開放する。このように、待機状態にあった膜ろ過装置の運転を開始するにあたり、既に記憶されている通水量まで一段階で上げることで、目的とする処理水量を安定的に得られるようになるまでの時間を短縮することができ、浄水システムの制御の安定性を一層向上させることができる。
【００３５】
一方、第２の方法としては、待機状態にあった膜ろ過装置の直近の運転状態におけるバルブ開度及び処理水量から、総浄水量及び必要台数に基づいて算出した膜ろ過装置一台あたりの処理水量を達成するために必要な通水量を予測し、待機状態にあった膜ろ過装置への通水量を、予測した通水量まで一段階で増加させる方法が挙げられる。具体的には、例えば、バルブとして構成される通水制御手段にあっては、予測した通水量と、直近の運転状態におけるバルブ開度及び処理水量の関係とに基づいて、必要なバルブ開度を算出し、かかるバルブ開度まで一回の制御で開放する。このように予測した通水量まで一段階で通水量を増加させることで、所望の処理水量を安定的に得られるようになるまでの時間を一層短縮することができ、浄水システムの制御の安定性を一層向上させることができる。
【００３６】
なお、これらの第１及び第２の通水制御手段の制御方法は、総浄水量が変更された際の膜ろ過装置の台数変動のときのみならず、運転中の膜ろ過装置を再生状態とし、待機状態にあった膜ろ過装置の運転を開始する際にも採用することができる。
【００３７】
さらに、必要台数が運転状態の膜ろ過装置の台数よりも少なく、ステップＳ０４にて、運転状態にあった膜ろ過装置の運転を停止させる場合には、制御部は、ある膜ろ過装置に対応する通水制御手段による通水を停止させると共に、運転を継続させる膜ろ過装置について、総浄水量を必要台数で除した処理水量を得るように、通水制御手段により通水量を制御する。このとき、制御部は、直近の物理洗浄が終了した後の運転状態にあった時間（物理洗浄終了後のろ過継続時間）の短い膜ろ過装置から優先的に運転を停止させて待機状態とすることが好ましい。浄水システムにおいて、比較的状態の良い、ろ過膜の目詰まりが少ない膜ろ過装置を待機状態として保持しておくことで、かかる膜ろ過装置を再度運転状態とした場合の運転継続可能時間を長くし、浄水システムの制御の安定性を向上させることができるからである。
【００３８】
一方、ステップＳ０３にて運転可能台数が必要台数未満であると判定した場合には、制御部は、運転可能台数の膜ろ過装置を全て運転状態として、各々の前記膜ろ過装置を最大処理水量の設定値で運転させる（ステップＳ０５）。この場合、所望の総浄水量を達成することはできないが、浄水システムのその時点における最大処理水量を供給することとなる。そして、制御部は、例えば、再生状態にあった膜ろ過装置の物理洗浄が終了して待機状態となったことなどにより、運転可能台数が変化したことを把握する（ステップＳ０６）と、ステップＳ０３を再度実施する。このようにして、制御部は、可能な限り迅速に所望の総浄水量を達成するように、膜ろ過装置の運転を制御する。
以下、本発明による浄水システム制御方法による制御例について具体的に説明する。
【００３９】
＜制御例１＞
まず、制御例１として、互いに並列接続された膜ろ過装置を２４台備え、１台の膜ろ過装置の最大処理水量の設定値が450（m3/h）であり、最小処理水量の設定値が400（m3/h）であり、運転台数が20台、待機状態の膜ろ過装置が2台、再生状態の膜ろ過装置が2台である浄水システムにおいて、総浄水量が200,000（m3/日）から210,000（m3/日）に増加した場合について説明する。必要台数決定ステップＳ０２において、現状運転台数を維持することを優先するステップＳ０２−１Ａ〜Ｓ０２−６Ａを実施した場合には、表１に示すように、ステップＳ０２−１Ａにて210,000（m3/日）÷24（h）÷20（台）を計算し、一台あたりの処理水量437.5（m3/h）を得て、かかる値が最大処理水量及び最小処理水量の設定値から定められる処理水量範囲である、400（m3/h）以上450（m3/h）以下の範囲内であるかをステップＳ０２−２Ａにて判定する。この場合、437.5（m3/h）は上記範囲内であるため、制御部は、ステップＳ０２−６Ａに進み、現状運転台数である20台を必要台数として決定する。その後、ステップＳ０３及びステップＳ０４を経て、制御部１４は、現状運転台数である20台を維持し、運転中の各膜ろ過装置の処理水量を437.5（m3/h）まで増量させ、目標とする総浄水量210,000 (m3/日)を供給するように通水制御手段を制御する。
【００４０】
【表１】
2019202317.tif 000003
【００４１】
一方、ステップＳ０２において、膜ろ過装置を所定の設定値（この場合、最低処理水量である400（m3/h））に近い処理水量で運転させることを優先するステップＳ０２−１Ｃを実施した場合には、210,000 (m3/日)÷24(h)÷400（m3/h）＝21.88より必要台数として21台が決定される。そして、制御部は、ステップＳ０３にて、運転可能台数22台（内訳：運転台数20台＋待機台数2台）が、必要台数21台よりも多いと判定し、ステップＳ０４にて必要台数21台の膜ろ過装置を運転するように制御する。膜ろ過装置の運転台数及び総処理水量は以下の表２に示す通りになる。
【００４２】
【表２】
2019202317.tif 000004
【００４３】
このように、必要台数決定ステップＳ０２において、膜ろ過装置を最低処理水量である400（m3/h））に近い処理水量で運転させることを優先した場合には、膜ろ過装置の運転台数は一台増加するものの、運転を継続している膜ろ過装置における通水量の変化量を低減させることができる。
【００４４】
＜制御例２＞
次に、総浄水量が減少した場合における浄水システムの制御方法について具体的に説明する。膜ろ過装置の最大処理水量及び最小処理水量の設定値や各状態の膜ろ過装置の台数は制御例１と同様であって、総浄水量が、200,000（m3/日）から190,000（m3/日）に減少した場合について説明する。ステップＳ０２−１Ａ〜ステップＳ０２−６Ａに従った場合には、ステップＳ０２−１Ａにて190,000(m3/日)÷24（h）÷20（台）を計算し、一台あたり処理水量395.83（m3/h）を得て、かかる値が最大処理水量及び最小処理水量の設定値から定められる範囲である、400（m3/h）以上450（m3/h）以下の範囲内であるかをステップＳ０２−２Ａにて判定する。この場合、395.83（m3/h）は上記最小処理水量の設定値（400m3/h）を下回るため、制御部は、ステップＳ０２−３Ａ、Ｓ０２−４Ａへと進み、現状運転台数である20台から1台少なくして、190,000 (m3/日)÷24（h）÷19（台）を計算し、一台あたり処理水量416.67（m3/h）を得る。かかる値は、400（m3/h）以上450（m3/h）以下の範囲内であるため、ステップＳ０２−２Ａにおける判定結果が「はい」となり、制御部は、ステップＳ０２−６Ａにて19台を必要台数として決定する。その後、ステップＳ０３及びステップＳ０４を経て、制御部は、表３に示すように、19台の膜ろ過装置を処理水量416.67（m3/h）で運転するように制御する。
【００４５】
【表３】
2019202317.tif 000005
【００４６】
一方、ステップＳ０２において、膜ろ過装置をなるべく少ない処理水量で運転させることを優先するステップＳ０２−１Ｃを実施した場合にも、190,000 (m3/日)÷24(h)÷400（m3/h）＝19.79より必要台数として19台が決定される。そして、制御部は、ステップＳ０３にて、運転可能台数22台（内訳：運転台数20台＋待機台数2台）が、必要台数19台よりも多いと判定し、ステップＳ０４にて必要台数19台の膜ろ過装置を運転するように制御する。膜ろ過装置の運転台数及び処理水量は、表３と同様の値となる。
【００４７】
＜制御例３＞
次に、制御例３として、制御例１及び２と同様に膜ろ過装置を２４台備え、１台の膜ろ過装置の最大処理水量の設定値が450（m3/h）であり、最小処理水量の設定値が400（m3/h）であるが、一台の膜ろ過装置が故障しているため、運転台数が20台、待機状態の膜ろ過装置が1台、再生状態の膜ろ過装置が2台となっている浄水システムにおいて、総浄水量が200,000（m3/日）から230,000（m3/日）に増加した場合について説明する。
【００４８】
この場合、必要台数決定ステップＳ０２において、ステップＳ０２−１Ａ〜Ｓ０２−６Ａを実施した場合には、ステップＳ０２−１Ａにて230,000 (m3/日)÷24（h）÷20（台）を計算し、一台あたりの処理水量479.16（m3/h）を得て、かかる値が最大処理水量及び最小処理水量の設定値から定められる処理水量範囲である、400（m3/h）以上450（m3/h）以下の範囲内であるかをステップＳ０２−２Ａにて判定する。この場合、479.16（m3/h）は上記最大処理水量を超えるため、制御部は、ステップＳ０２−５Ａに進み、230,000 (m3/日)÷24（h）÷21（台）を計算し、一台あたりの処理水量456.35（m3/h）を得る。しかしかかる値も上記最大処理水量を超えるため、制御部はステップＳ０２−５Ａにて、210,000 (m3/日)÷24（h）÷22（台）を計算し、一台あたりの処理水量435.61（m3/h）を得る。かかる処理水量は処理水量範囲内であるため、ステップＳ０２−２Ａにおける判定結果が「はい」となり、制御部は、ステップＳ０２−６Ａにて22台を必要台数として決定する。その後、ステップＳ０３に進むが、このとき、運転可能台数は21台であるため、ステップＳ０３における判定結果は「いいえ」となる。従って、制御部はステップＳ０５へと進み、運転可能な21台の膜ろ過装置を最大処理水量の設定値である450（m3/h）で運転するように、各膜ろ過装置を制御する（表４の変更後１）。その後、故障中であった1台の膜ろ過装置の修理が完了して、待機状態となるか、或いは再生状態にあった2台の膜ろ過装置の何れかが待機状態となったことを検出すると、制御部は再度ステップＳ０３にて運転可能台数と必要台数との比較を行い、本制御例ではＳ０４へと進み、22台の膜ろ過装置の処理水量が435.61（m3/h）となるように通水制御手段を制御する（表４の変更後２）。
【００４９】
【表４】
2019202317.tif 000006
【００５０】
一方、ステップＳ０２において、ステップＳ０２−１Ｃを実施した場合には、230,000 (m3/日)÷24(h)÷400（m3/h）＝23.96より必要台数として23台が決定される。そして、制御部は、ステップＳ０３にて、運転可能台数21台（内訳：運転台数20台＋待機台数1台）が、必要台数23台よりも少ないと判定し、表５の変更後１のような運転状態となるように膜ろ過装置の運転を制御する。その後、必要台数が満たされるまでステップＳ０６とステップＳ０５とのループを繰り返し、表５の変更後２〜３となるような運転状態となるように膜ろ過装置の運転を制御する。なお、かかるループ処理の繰り返し回数は、浄水システムに備えられた膜ろ過装置の台数により制限される。
【００５１】
【表５】
2019202317.tif 000007
【００５２】
＜制御例４＞
膜ろ過装置の最大処理水量及び最小処理水量の設定値や各状態の膜ろ過装置の台数は制御例１と同様であって、総浄水量が200,000（m3/日）から210,000（m3/日）に増加した際に、ステップＳ０２として、ステップＳ０２−１Ｂを実施した場合について説明する。即ち、制御例４では、新たな総浄水量である210,000（m3/日）を最大処理水量の設定値で除して得られる値（＝210,000（m3/日）÷24（h）÷450（m3/h）＝19.44）と、新たな総浄水量である210,000（m3/日）を最小処理水量の設定値で除して得られる値（＝210,000（m3/日）÷24（h）÷400（m3/h）＝21.88）とを求め、処理水量範囲内で総浄水量を供給可能な台数範囲（20〜21台）を求める。そして、現状運転台数である20台に最も近い台数（20台）を必要台数として決定する。そして、各膜ろ過装置の処理水量を437.5（m3/h）（210,000（m3/日）÷24（h）÷20（台））まで増量させ、運転を継続する。
【００５３】
このように制御例１〜４により、本発明にかかる浄水システムの制御方法について具体的に説明してきたが、本法によれば、浄水システムの処理水量が変動した際に、迅速且つ安定的に所望水量を供給することができる。
【００５４】
本発明の趣旨及び範囲内で、多くの変更及び置換ができることは当業者に明らかである。従って、本発明は、上述の実施形態によって制限されるものと解するべきではない。すなわち、本発明については、特許請求の範囲から逸脱することなく、種々の変形や変更が可能である。
【００５５】
例えば、本発明による浄水システムは、原水及び／又は処理水の水質を測定する水質測定装置（例えば、濁度計など）を更に備えることができる。そして、かかる水質測定装置による測定結果に基づいて、各膜ろ過装置の最大処理水量及び最小処理水量の設定値を変更するように構成することももちろん可能である。
【符号の説明】
【００５６】
１０                  浄水システム
１１                  原水槽
１２ａ〜１２ｃ        膜ろ過装置
１３                  浄水槽
１４                  制御部
１５                  原水配管
１６                  処理水配管
１２１ａ〜１２１ｃ    通水制御手段
【図１】
2019202317.tif 000008
【図２】
2019202317.tif 000009
【図３】
2019202317.tif 000010